(57)【要約】  一の実施形態に係る通信方法では、第１の基地局が、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定する。前記第１の基地局が、第２の基地局への前記ユーザ装置のハンドオーバを決定する。前記第１の基地局が、前記ユーザ装置のためのハンドオーバ要求メッセージに、前記１以上のＷＬＡＮ識別子が関連付けられているＷＬＡＮ終端装置の識別子を含める。前記第１の基地局が、前記ＷＬＡＮ終端装置の識別子を含む前記ハンドオーバ要求メッセージを前記第２の基地局へ送る。
2017170202.tif 000002
【特許請求の範囲】
【請求項１】
通信方法であって、
第１の基地局が、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定し、
前記第１の基地局が、第２の基地局への前記ユーザ装置のハンドオーバを決定し、
前記第１の基地局が、前記ユーザ装置のためのハンドオーバ要求メッセージに、前記１以上のＷＬＡＮ識別子が関連付けられているＷＬＡＮ終端装置の識別子を含め、
前記第１の基地局が、前記ＷＬＡＮ終端装置の識別子を含む前記ハンドオーバ要求メッセージを前記第２の基地局へ送る、通信方法。
【請求項２】
前記第２の基地局が、前記ＷＬＡＮ終端装置の識別子に基づいて特定された前記ＷＬＡＮ終端装置に対して、前記ユーザ装置のためのリソースの準備を要求するためのＷＬＡＮ追加要求メッセージを送る請求項１に記載の通信方法。
【請求項３】
前記第１の基地局が、前記ハンドオーバ要求メッセージに、前記ＷＬＡＮ終端装置により割り当てられた前記ユーザ装置の識別子を含め、
前記第１の基地局が、前記ユーザ装置の識別子を含む前記ハンドオーバ要求メッセージを前記第２の基地局へ送る請求項１に記載の通信方法。
【請求項４】
前記第２の基地局が、前記ユーザ装置のためのリソースの準備を要求するためのＷＬＡＮ追加要求メッセージに、前記ＷＬＡＮ終端装置により割り当てられた前記ユーザ装置の識別子を含め、
前記第２の基地局が、前記ユーザ装置の識別子の識別子を含む前記ＷＬＡＮ追加要求メッセージを前記ＷＬＡＮ終端装置へ送る請求項３に記載の通信方法。
【請求項５】
前記ＷＬＡＮ終端装置が、前記ＷＬＡＮ追加要求メッセージに対する応答であるＷＬＡＮ追加要求承認メッセージを前記第２の基地局へ送り、
前記第２の基地局が、前記ハンドオーバ要求メッセージに対する応答であるハンドオーバ要求承認メッセージに、前記ＷＬＡＮ終端装置が前記ユーザ装置のコンテキストを保持することを示す保持情報を含め、
前記第２の基地局が、前記保持情報を含む前記ハンドオーバ要求承認メッセージを前記第１の基地局へ送る請求項４に記載の通信方法。
【請求項６】
前記第１の基地局が、前記ユーザ装置のためのリソースの解放を要求するＷＴ解放メッセージに、前記ＷＬＡＮ終端装置が前記ユーザ装置のコンテキストを保持することを示す保持情報を含め、
前記第１の基地局が、前記保持情報を含む前記ＷＴ解放メッセージを前記ＷＬＡＮ終端装置へ送る請求項１に記載の通信方法。
【請求項７】
第１の基地局を制御するためのプロセッサであって、
１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定する処理と、
第２の基地局への前記ユーザ装置のハンドオーバを決定する処理と、
前記ユーザ装置のためのハンドオーバ要求メッセージに、前記１以上のＷＬＡＮ識別子が関連付けられているＷＬＡＮ終端装置の識別子を含める処理と、
前記ＷＬＡＮ終端装置の識別子を含む前記ハンドオーバ要求メッセージを前記第２の基地局へ送る処理と、を実行するプロセッサ。
【請求項８】
第１の基地局であって、
コントローラを備え、
前記コントローラは、
１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定し、
第２の基地局への前記ユーザ装置のハンドオーバを決定し、
前記ユーザ装置のためのハンドオーバ要求メッセージに、前記１以上のＷＬＡＮ識別子が関連付けられているＷＬＡＮ終端装置の識別子を含め、
前記ＷＬＡＮ終端装置の識別子を含む前記ハンドオーバ要求メッセージを前記第２の基地局へ送る、よう構成される第１の基地局。
【請求項９】
第２の基地局を制御するためのプロセッサであって、
１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットが設定されたユーザ装置のためのハンドオーバ要求メッセージを第１の基地局から受信する処理を実行し、
前記ハンドオーバ要求メッセージは、前記１以上のＷＬＡＮ識別子が関連付けられているＷＬＡＮ終端装置の識別子を含むプロセッサ。
【請求項１０】
第２の基地局であって、
コントローラを備え、
前記コントローラは、
１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットが設定されたユーザ装置のためのハンドオーバ要求メッセージを第１の基地局から受信するよう構成され、
前記ハンドオーバ要求メッセージは、前記１以上のＷＬＡＮ識別子が関連付けられているＷＬＡＮ終端装置の識別子を含む第２の基地局。
【請求項１１】
ネットワーク装置を制御するためのプロセッサであって、
ユーザ装置のためのリソースの準備を要求するためのＷＬＡＮ追加要求メッセージを基地局から受信する処理を実行し、
前記ＷＬＡＮ追加要求メッセージは、前記ネットワーク装置により割り当てられたユーザ装置の識別子を含むプロセッサ。
【請求項１２】
ネットワーク装置であって、
コントローラを備え、
前記コントローラは、
ユーザ装置のためのリソースの準備を要求するためのＷＬＡＮ追加要求メッセージを基地局から受信するよう構成され、
前記ＷＬＡＮ追加要求メッセージは、前記ネットワーク装置により割り当てられたユーザ装置の識別子を含むネットワーク装置。
【発明の詳細な説明】
【技術分野】
【０００１】
本出願は、通信方法、プロセッサ、基地局、及びネットワーク装置に関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）では、ＬＷＡ（ＬＴＥ−ＷＬＡＮ  Ａｇｇｒｅｇａｔｉｏｎ）が導入されている（非特許文献１参照）。【０００３】
ＬＷＡでは、ユーザ装置は、ＬＴＥ（セルラ通信システム）の無線リソースだけでなく、ＷＬＡＮ（Ｗｉｒｅｌｅｓｓ  ＬＡＮ（Ｌｏｃａｌ  Ａｒｅａ  Ｎｅｔｗｏｒｋ）：ＷＬＡＮ通信システム）の無線リソースを利用することができる。ＬＷＡでは、ＷＬＡＮ終端装置（ＷＴ：ＷＬＡＮ  Ｔｅｒｍｉｎａｔｉｏｎ）を経由して基地局からユーザ装置へのデータ（パケット）が送られる。
【先行技術文献】
【非特許文献】
【０００４】
【非特許文献１】３ＧＰＰ技術仕様書「ＴＳ  ３６．３００  Ｖ１３．２．０」  ２０１６年１月１３日
【発明の概要】
【０００５】
一の実施形態に係る通信方法では、第１の基地局が、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定する。前記第１の基地局が、第２の基地局への前記ユーザ装置のハンドオーバを決定する。前記第１の基地局が、前記ユーザ装置のためのハンドオーバ要求メッセージに、前記１以上のＷＬＡＮ識別子が関連付けられているＷＬＡＮ終端装置の識別子を含める。前記第１の基地局が、前記ＷＬＡＮ終端装置の識別子を含む前記ハンドオーバ要求メッセージを前記第２の基地局へ送る。
【０００６】
一の実施形態に係るプロセッサは、基地局（第１の基地局）を制御するためのプロセッサである。前記プロセッサは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定する処理と、第２の基地局への前記ユーザ装置のハンドオーバを決定する処理と、前記ユーザ装置のためのハンドオーバ要求メッセージに、前記１以上のＷＬＡＮ識別子が関連付けられているＷＬＡＮ終端装置の識別子を含める処理と、前記ＷＬＡＮ終端装置の識別子を含む前記ハンドオーバ要求メッセージを前記第２の基地局へ送る処理と、を実行する。
【０００７】
一の実施形態に係る基地局（第１の基地局）は、コントローラを備える。前記コントローラは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定し、第２の基地局への前記ユーザ装置のハンドオーバを決定し、前記ユーザ装置のためのハンドオーバ要求メッセージに、前記１以上のＷＬＡＮ識別子が関連付けられているＷＬＡＮ終端装置の識別子を含め、前記ＷＬＡＮ終端装置の識別子を含む前記ハンドオーバ要求メッセージを前記第２の基地局へ送る、よう構成される。
【０００８】
一の実施形態に係るプロセッサは、基地局（第２の基地局）を制御するためのプロセッサである。前記プロセッサは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットが設定されたユーザ装置のためのハンドオーバ要求メッセージを第１の基地局から受信する処理を実行し、前記ハンドオーバ要求メッセージは、前記１以上のＷＬＡＮ識別子が関連付けられているＷＬＡＮ終端装置の識別子を含む。
【０００９】
一の実施形態に係る基地局（第２の基地局）は、コントローラを備える。前記コントローラは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットが設定されたユーザ装置のためのハンドオーバ要求メッセージを第１の基地局から受信するよう構成される。前記ハンドオーバ要求メッセージは、前記１以上のＷＬＡＮ識別子が関連付けられているＷＬＡＮ終端装置の識別子を含む。
【００１０】
一の実施形態に係るプロセッサは、ネットワーク装置を制御するためのプロセッサである。前記プロセッサは、ユーザ装置のためのリソースの準備を要求するためのＷＬＡＮ追加要求メッセージを基地局から受信する処理を実行する。前記ＷＬＡＮ追加要求メッセージは、前記ネットワーク装置により割り当てられたユーザ装置の識別子を含む。
【００１１】
一の実施形態に係るネットワーク装置（ＷＬＡＮ終端装置）は、コントローラを備える。前記コントローラは、ユーザ装置のためのリソースの準備を要求するためのＷＬＡＮ追加要求メッセージを基地局から受信するよう構成される。前記ＷＬＡＮ追加要求メッセージは、前記ネットワーク装置により割り当てられたユーザ装置の識別子を含む。
【図面の簡単な説明】
【００１２】
【図１】図１は、システム構成を示す図である。
【図２】図２は、ＬＴＥシステムにおける無線インターフェイスのプロトコルスタック図である。
【図３】図３は、ＬＷＡで用いられるｅＮＢの無線プロトコル構造を示す図である。
【図４】図４は、ＵＥ１００を示すブロック図である。
【図５】図５は、ｅＮＢ２００を示すブロック図である。
【図６】図６は、ＡＰ３００を示すブロック図である。
【図７】図７は、ＷＴ６００を示すブロック図である。
【図８】図８は、実施形態に係る動作を説明するためのシーケンス図である。
【図９】図９は、ＷＴ変更を伴わないｅＮＢ間ハンドオーバを説明するためのシーケンス図である。
【発明を実施するための形態】
【００１３】
［実施形態の概要］
一の実施形態に係る通信方法では、第１の基地局が、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定する。前記第１の基地局が、第２の基地局への前記ユーザ装置のハンドオーバを決定する。前記第１の基地局が、前記ユーザ装置のためのハンドオーバ要求メッセージに、前記１以上のＷＬＡＮ識別子が関連付けられているＷＬＡＮ終端装置の識別子を含める。前記第１の基地局が、前記ＷＬＡＮ終端装置の識別子を含む前記ハンドオーバ要求メッセージを前記第２の基地局へ送る。
【００１４】
前記第２の基地局が、前記ＷＬＡＮ終端装置の識別子に基づいて特定された前記ＷＬＡＮ終端装置に対して、前記ユーザ装置のためのリソースの準備を要求するためのＷＬＡＮ追加要求メッセージを送ってもよい。
【００１５】
前記第１の基地局が、前記ハンドオーバ要求メッセージに、前記ＷＬＡＮ終端装置により割り当てられた前記ユーザ装置の識別子を含めてもよい。前記第１の基地局が、前記ユーザ装置の識別子を含む前記ハンドオーバ要求メッセージを前記第２の基地局へ送ってもよい。
【００１６】
前記第２の基地局が、前記ユーザ装置のためのリソースの準備を要求するためのＷＬＡＮ追加要求メッセージに、前記ＷＬＡＮ終端装置により割り当てられた前記ユーザ装置の識別子を含めてもよい。前記第２の基地局が、前記ユーザ装置の識別子の識別子を含む前記ＷＬＡＮ追加要求メッセージを前記ＷＬＡＮ終端装置へ送ってもよい。
【００１７】
前記ＷＬＡＮ終端装置が、前記ＷＬＡＮ追加要求メッセージに対する応答であるＷＬＡＮ追加要求承認メッセージを前記第２の基地局へ送ってもよい。前記第２の基地局が、前記ハンドオーバ要求メッセージに対する応答であるハンドオーバ要求承認メッセージに、前記ＷＬＡＮ終端装置が前記ユーザ装置のコンテキストを保持することを示す保持情報を含めてもよい。前記第２の基地局が、前記保持情報を含む前記ハンドオーバ要求承認メッセージを前記第１の基地局へ送ってもよい。
【００１８】
前記第１の基地局が、前記ユーザ装置のためのリソースの解放を要求するＷＴ解放メッセージに、前記ＷＬＡＮ終端装置が前記ユーザ装置のコンテキストを保持することを示す保持情報を含めてもよい。前記第１の基地局が、前記保持情報を含む前記ＷＴ解放メッセージを前記ＷＬＡＮ終端装置へ送ってもよい。
【００１９】
一の実施形態に係るプロセッサは、基地局（第１の基地局）を制御するためのプロセッサである。前記プロセッサは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定する処理と、第２の基地局への前記ユーザ装置のハンドオーバを決定する処理と、前記ユーザ装置のためのハンドオーバ要求メッセージに、前記１以上のＷＬＡＮ識別子が関連付けられているＷＬＡＮ終端装置の識別子を含める処理と、前記ＷＬＡＮ終端装置の識別子を含む前記ハンドオーバ要求メッセージを前記第２の基地局へ送る処理と、を実行する。
【００２０】
一の実施形態に係る基地局（第１の基地局）は、コントローラを備える。前記コントローラは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットをユーザ装置へ設定し、第２の基地局への前記ユーザ装置のハンドオーバを決定し、前記ユーザ装置のためのハンドオーバ要求メッセージに、前記１以上のＷＬＡＮ識別子が関連付けられているＷＬＡＮ終端装置の識別子を含め、前記ＷＬＡＮ終端装置の識別子を含む前記ハンドオーバ要求メッセージを前記第２の基地局へ送る、よう構成される。
【００２１】
一の実施形態に係るプロセッサは、基地局（第２の基地局）を制御するためのプロセッサである。前記プロセッサは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットが設定されたユーザ装置のためのハンドオーバ要求メッセージを第１の基地局から受信する処理を実行し、前記ハンドオーバ要求メッセージは、前記１以上のＷＬＡＮ識別子が関連付けられているＷＬＡＮ終端装置の識別子を含む。
【００２２】
一の実施形態に係る基地局（第２の基地局）は、コントローラを備える。前記コントローラは、１以上のＷＬＡＮ（Ｗｉｒｅｌｅｓｓ  Ｌｏｃａｌ  Ａｒｅａ  Ｎｅｔｗｏｒｋ）識別子のセットであるＷＬＡＮモビリティセットが設定されたユーザ装置のためのハンドオーバ要求メッセージを第１の基地局から受信するよう構成される。前記ハンドオーバ要求メッセージは、前記１以上のＷＬＡＮ識別子が関連付けられているＷＬＡＮ終端装置の識別子を含む。
【００２３】
一の実施形態に係るプロセッサは、ネットワーク装置を制御するためのプロセッサである。前記プロセッサは、ユーザ装置のためのリソースの準備を要求するためのＷＬＡＮ追加要求メッセージを基地局から受信する処理を実行する。前記ＷＬＡＮ追加要求メッセージは、前記ネットワーク装置により割り当てられたユーザ装置の識別子を含む。
【００２４】
一の実施形態に係るネットワーク装置（ＷＬＡＮ終端装置）は、コントローラを備える。前記コントローラは、ユーザ装置のためのリソースの準備を要求するためのＷＬＡＮ追加要求メッセージを基地局から受信するよう構成される。前記ＷＬＡＮ追加要求メッセージは、前記ネットワーク装置により割り当てられたユーザ装置の識別子を含む。
【００２５】
現状の仕様では、ユーザ装置にＬＷＡの設定（コンフィグ）された状態で、当該ユーザ装置がハンドオーバを実行することが想定されていない。このため、ハンドオーバが実行される度にユーザ装置に新たにＬＷＡの設定が行われる可能性がある。
【００２６】
一の実施形態に係るソース基地局は、ＷＬＡＮモビリティセットをユーザ装置へ設定するコントローラを備える。前記コントローラは、前記ユーザ装置のハンドオーバの決定に応じて、ハンドオーバ要求メッセージをターゲット基地局へ送る。前記ハンドオーバ要求メッセージは、前記ＷＬＡＮモビリティセットに含まれるＷＬＡＮアクセスポイントの識別子が関連付けられているＷＬＡＮ終端装置の識別子を含む。
【００２７】
前記ハンドオーバ要求メッセージは、前記ＷＬＡＮモビリティセットを含んでもよい。
【００２８】
前記ソース基地局は、ＷＬＡＮ測定報告を前記ユーザ装置から受け取るレシーバをさらに備えてもよい。前記ハンドオーバ要求メッセージは、前記ＷＬＡＮ測定報告の情報を含んでもよい。
【００２９】
前記コントローラは、ハンドオーバ要求承認メッセージを前記ターゲット基地局から受け取ってもよい。前記ハンドオーバ要求承認メッセージは、前記ＷＬＡＮ終端装置が前記ユーザ装置のコンテキスト情報を保持することを示す情報を含んでもよい。
【００３０】
一の実施形態に係るターゲット基地局は、ＷＬＡＮモビリティセットが設定されたユーザ装置のためのハンドオーバ要求メッセージをソース基地局から受け取るコントローラを備える。前記ハンドオーバ要求メッセージは、前記ＷＬＡＮモビリティセットに含まれるＷＬＡＮアクセスポイントの識別子が関連付けられているＷＬＡＮ終端装置の識別子を含む。
【００３１】
前記コントローラは、前記ＷＬＡＮ終端装置の識別子に基づいて、ＷＴ追加要求メッセージを前記ＷＬＡＮ終端装置へ送ってもよい。
【００３２】
前記ハンドオーバ要求メッセージは、前記ＷＬＡＮモビリティセットを含んでもよい。
【００３３】
前記コントローラは、前記ハンドオーバ要求メッセージの受信に応じて、ＷＴ追加要求メッセージを前記ＷＬＡＮ終端装置へ送ってもよい。前記ＷＴ追加要求メッセージは、前記ＷＬＡＮモビリティセットを含んでもよい。
【００３４】
前記ハンドオーバ要求メッセージは、前記ユーザ装置からのＷＬＡＮ測定報告の情報を含んでもよい。
【００３５】
前記コントローラは、前記ハンドオーバ要求メッセージの受信に応じて、ＷＴ追加要求メッセージを前記ＷＬＡＮ終端装置へ送ってもよい。前記ＷＴ追加要求メッセージは、前記ＷＬＡＮ測定報告の情報に基づくＷＬＡＮモビリティセットを含んでもよい。
【００３６】
前記コントローラは、前記ハンドオーバ要求メッセージの受信に応じて、ＷＴ追加要求メッセージを前記ＷＬＡＮ終端装置へ送ってもよい。前記コントローラは、ＷＴ追加要求承認メッセージを前記ＷＬＡＮ終端装置から受け取ってもよい。前記ＷＴ追加要求承認メッセージは、前記ＷＬＡＮ終端装置が前記ユーザ装置のコンテキスト情報を保持することを示す情報を含んでもよい。前記コントローラは、前記ＷＴ追加要求承認メッセージの受信に応じて、ハンドオーバ要求承認メッセージを前記ソース基地局へ送ってもよい。前記ハンドオーバ要求承認メッセージは、前記情報を含んでもよい。
【００３７】
前記コントローラは、前記ハンドオーバ要求メッセージの受信に応じて、ＷＴ追加要求メッセージを前記ＷＬＡＮ終端装置へ送ってもよい。前記ＷＴ追加要求メッセージは、前記ターゲット基地局が前記ユーザ端末へ提供する予定のＷＬＡＮモビリティセット候補を含んでもよい。前記コントローラは、前記ＷＬＡＮモビリティセットに基づくＷＴ追加要求拒否メッセージを受け取ってもよい。
【００３８】
前記ＷＴ追加要求拒否メッセージは、前記ＷＬＡＮモビリティセット候補が前記ユーザ端末に設定された前記ＷＬＡＮモビリティセットと一致しないことを示す理由情報を含んでもよい。
【００３９】
前記ＷＴ追加要求拒否メッセージは、前記ユーザ端末に設定された前記ＷＬＡＮモビリティセットを含んでもよい。
【００４０】
以下、図面を参照して、３ＧＰＰ規格に準拠して構成されるセルラ通信システムであるＬＴＥシステムと無線ＬＡＮ（ＷＬＡＮ：Ｗｉｒｅｌｅｓｓ  Ｌｏｃａｌ  Ａｒｅａ  Ｎｅｔｗｏｒｋ）システムとが連携可能であるケースを例に挙げて説明する。
【００４１】
（システム構成）
図１は、実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００４２】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００４３】
ＵＥ１００は、ユーザ装置（無線端末）である。ＵＥ１００は、移動型の無線通信装置である。ＵＥ１００は、セルラ通信及びＷＬＡＮ通信の両通信方式をサポートする端末（デュアル端末）である。
【００４４】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理する。ｅＮＢ２００は、自セルに在圏するＵＥ１００との無線通信を行う。「セル」は、無線通信エリアの最小単位を示す用語として使用されてもよい。「セル」は、ＵＥ１００との無線通信を行う機能（リソース）を示す用語としても使用されてもよい。ｅＮＢ２００は、無線リソース管理（ＲＲＭ）機能、ユーザデータのルーティング機能、モビリティ制御及びスケジューリングのための測定制御機能等を有する。
【００４５】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）３００及びＳＧＷ（Ｓｅｒｖｉｎｇ  Ｇａｔｅｗａｙ）５００と接続される。ｅＮＢ２００は、Ｘｗインターフェイスを介して、後述するＷＴ６００と接続される。
【００４６】
ＥＰＣ２０は、複数のＭＭＥ４００／Ｓ−ＧＷ５００を含む。ＭＭＥ４００は、ＵＥ１００に対する各種モビリティ制御等を行うネットワークノードであり、制御局に相当する。ＳＧＷ５００は、ユーザデータの転送制御を行うネットワークノードであり、交換局に相当する。
【００４７】
ＷＬＡＮ３０は、ＷＬＡＮアクセスポイント（以下「ＡＰ」という）３００と、ＷＬＡＮ終端装置（以下、「ＷＴ」という）６００とを含む。ＡＰ３００は、例えばＬＴＥシステムのＮＷ（Ｎｅｔｗｏｒｋ）オペレータにより管理されるＡＰ（Ｏｐｅｒａｔｏｒ  ｃｏｎｔｒｏｌｌｅｄ  ＡＰ）である。
【００４８】
ＷＴ６００は、論理ノードである。ＷＴ６００は、Ｘｗインターフェイスを介してｅＮＢ２００と接続される。ＷＴ６００は、ＷＬＡＮに関してＸｗインターフェイスを終端する。Ｘｗインターフェイスは、Ｘｗユーザプレーンインターフェイス（Ｘｗ−Ｕ）とＸｗコントロールプレーンインターフェイス（Ｘｗ−Ｃ）とにより構成される。Ｘｗ−Ｕは、ｅＮＢ２００とＷＴ６００との間でデータ（ＬＷＡ  ＰＤＵ）を運ぶために用いられる。Ｘｗ−Ｃは、ｅＮＢ２００とＷＴ６００との間で制御シグナルを運ぶために用いられる。
【００４９】
ＷＴ６００は、１以上のＡＰ３００と関連付けられている。ＷＴ６００は、関連付けられているＡＰ３００を介して、ＵＥ１００へデータを送信又は受信する。ＷＴ６００は、関連付けられているＡＰ３００の識別子を保持する。
【００５０】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００５１】
図２は、ＬＴＥシステムにおける無線インターフェイスのプロトコルスタック図である。図２に示すように、無線インターフェイスプロトコルは、ＯＳＩ参照モデルの第１層乃至第３層に区分されている。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００５３】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラを含む。当該スケジューラは、上下リンクのトランスポートフォーマット（トランスポートブロックサイズ、変調・符号化方式（ＭＣＳ））及びＵＥ１００への割当リソースブロックを決定する。
【００５４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００５５】
ＰＤＣＰ層は、ヘッダ圧縮・伸張、及び暗号化・復号化を行う。
【００５６】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態（コネクティッド状態）である。そうでない場合、ＵＥ１００はＲＲＣアイドル状態（アイドル状態）である。
【００５７】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００５８】
（ＬＷＡ）
ＬＷＡ（ＬＴＥ−ＷＬＡＮ  Ａｇｇｒｅｇａｔｉｏｎ）について、図３を用いて説明する。図３は、ＬＷＡで用いられるｅＮＢ２００の無線プロトコル構造（ｒａｄｉｏ  ｐｒｏｔｏｃｏｌ  ａｒｃｈｉｔｅｃｔｕｒｅ）を示す。
【００５９】
Ｅ−ＵＴＲＡＮ１０は、ＬＷＡ動作をサポートする。ＬＷＡでは、ＬＴＥとＷＬＡＮとの無線リソースを利用するために、ＲＲＣ接続状態のＵＥ１００がｅＮＢ２００により設定（コンフィグ）される。
【００６０】
図３に示すように、ＬＷＡでは、ｅＮＢ２００には、ＬＷＡＡＰ（ＬＴＥ−ＷＬＡＮ  Ａｇｇｒｅｇａｔｉｏｎ  Ａｄａｐｔａｔｉｏｎ  Ｐｒｏｔｏｃｏｌ）エンティティが設けられる。ＬＷＡＡＰエンティティは、ＬＷＡ  ＰＤＵを発生する。ＬＷＡ  ＰＤＵは、ＬＷＡにおいて、ＷＬＡＮ３０を介した送信のためにＬＷＡＡＰエンティティにより発生したＤＲＢ（Ｄａｔａ  Ｒａｄｉｏ  Ｂｅａｒｅｒ）識別子（ＤＲＢ  ＩＤ）を含むＰＤＵ（Ｐｒｏｔｏｃｏｌ  Ｄａｔａ  Ｕｎｉｔ）である。ＷＴ６００は、ＷＬＡＮ３０を介したＵＥ１００へのデータの転送のためにＬＷＡ  ＥｔｈｅｒＴｙｐｅを用いる。ＵＥ１００は、受信したＰＤＵがＬＷＡベアラに属することを決定するために、ＬＷＡ  ＥｔｈｅｒＴｙｐｅを用いる。ＵＥ１００は、ＰＤＵが属するＬＷＡベアラを決定するためにＤＲＢ識別子を用いる。
【００６１】
ＬＷＡでは、ｅＮＢ２００（ＬＴＥ）の無線リソースのみを用いてデータ（パケット）が伝送されるベアラ（ＬＷＡベアラ）が存在する。
【００６２】
ＬＷＡでは、２つのベアラタイプが存在する。２つのベアラタイプは、スプリットＬＷＡベアラ（ｓｐｌｉｔ  ＬＷＡ  ｂｅａｒｅｒ）及びスイッチドＬＷＡベアラ（ｓｗｉｔｃｈｅｄ  ＬＷＡ  ｂｅａｒｅｒ）である。
【００６３】
スプリットＬＷＡベアラは、ＬＷＡにおいて、ｅＮＢ２００及びＷＬＡＮ３０の無線リソースを用いるためにｅＮＢ２００とＷＬＡＮ３０との両方に無線プロトコルが位置するベアラである。スプリットＬＷＡベアラは、ＰＤＣＰ層において、スプリット（分裂）するベアラである。一方のスプリットベアラは、ｅＮＢ２００の無線リソースを用いてデータが伝送される。ＰＤＣＰ層（第１のＰＤＣＰ層）、ＲＬＣ層及びＭＡＣ層を経由してデータが伝送される。他方のスプリットベアラは、ＷＬＡＮ３０の無線リソースを用いてデータが伝送される。ＰＤＣＰ層からＬＷＡＡＰを経由して、ＷＴ６００へデータが伝送される。データは、ＷＴ６００のＷＬＡＮ層（ＷＬＡＮエンティティ）及び、ＡＰ３００を経由してＵＥ１００へ伝送される。
【００６４】
スイッチドＬＷＡベアラは、ＬＷＡにおいて、ｅＮＢ２００とＷＬＡＮ３０との両方に無線プロトコルが位置するが、ＷＬＡＮ３０の無線リソースのみが用いられるベアラである。スイッチドＬＷＡベアラでは、上述の他方のスプリットベアラと同様に、ＰＤＣＰ層（第２のＰＤＣＰ層）からＬＷＡＡＰを経由して、ＷＴ６００へデータが伝送される。
【００６５】
ＬＷＡを下りデータ（パケット）伝送に用いるケースを説明したが、ＬＷＡを上りデータ（パケット）伝送に用いるケースも同様である。
【００６６】
ただし、ＵＥ１００からＷＬＡＮ３０を経由してｅＮＢ２００へ伝送されるデータ（パケット）の行き先（ＰＤＣＰ層）は、当該データが属するベアラに応じて異なる。ＬＷＡＡＰは、データ（パケット）に含まれるＤＲＢ識別子に基づいて、送信先のＰＤＣＰを決定する。ＬＷＡＡＰは、データがスプリットＬＷＡベアラに属する（すなわち、データがスプリットＬＷＡベアラの識別子を含む）場合、データを第１のＰＤＣＰ層へ送る。第１のＰＤＣＰ層において、ＲＬＣ層から送られたデータ（パケット）と結合される。第１のＰＤＣＰ層は、結合されたデータを上位ノード（ＭＭＥ４００／ＳＧＷ５００）へ送る。一方、ＬＷＡＡＰは、データがスイッチドＬＷＡベアラに属する（すなわち、データがスイッチドＬＷＡベアラの識別子を含む）場合、データを第２のＰＤＣＰ層へ送る。第２のＰＤＣＰ層は、データを上位ノード（ＭＭＥ４００／ＳＧＷ５００）へ送る。
【００６７】
（ＷＬＡＮモビリティセット）
ＷＬＡＮモビリティセットについて、説明する。ＷＬＡＮモビリティセットは、１以上のＷＬＡＮ識別子（例えば、ＢＳＳＩＤ（Ｂａｓｉｃ  Ｓｅｒｖｉｃｅ  Ｓｅｔ  ＩＤ）、ＨＥＳＳＩＤ（Ｈｏｍｏｇｅｎｏｕｓ  Ｅｘｔｅｎｄｅｄ  Ｓｅｒｖｉｃｅ  Ｓｅｔ  ＩＤ）及びＳＳＩＤ（Ｓｅｒｖｉｃｅ  Ｓｅｔ  ＩＤ）など）により識別される１つ以上のＡＰ３００のセットである。ＵＥ１００は、ｅＮＢ２００への通知なく、ＷＬＡＮモビリティセットに属するＡＰ３００間でモビリティを実行してもよい。
【００６８】
ｅＮＢ２００は、ＵＥ１００へＷＬＡＮモビリティセットを提供する。ＵＥ１００にＷＬＡＮモビリティセットが設定（コンフィグ）された場合、ＵＥ１００は、設定されたＷＬＡＮモビリティセットの１つと一致する識別子のＷＬＡＮ３０（ＡＰ３００）との接続を試みる。ＷＬＡＮモビリティセットに属さないＡＰ３００へのＵＥ１００のモビリティは、ｅＮＢ２００によって制御される。例えば、ｅＮＢ２００は、ＵＥ１００から提供されるメジャメント報告に基づいてＷＬＡＮモビリティセットを更新する。ＵＥ１００は、１回で最大でも１つのＷＬＡＮモビリティセット（ＡＰ３００）に接続する。ＷＬＡＮモビリティセットに属する全てのＡＰは、Ｘｗ−Ｃ及びＸｗ−Ｕを終端する共通のＷＴ６００を共有する。ＷＬＡＮモビリティセットに属するＷＬＡＮ識別子は、ＷＴ６００に関連付けられている全てのＷＬＡＮ識別子の一部（サブセット）であってもよい。
【００６９】
（ＷＬＡＮ測定報告）
ＬＷＡをサポートするＵＥ１００は、ＷＬＡＮ測定報告を実行するためにｅＮＢ２００（Ｅ−ＵＴＲＡＮ１０）により設定（コンフィグ）されてもよい。ＷＬＡＮ測定対象は、ＷＬＡＮ識別子、ＷＬＡＮチャネル番号（ＷＬＡＮ  ｃｈａｎｎｅｌ  ｎｕｍｂｅｒ）及びＷＬＡＮ帯域（ＷＬＡＮ  ｂａｎｄ）の少なくともいずれかにより設定されてもよい。
【００７０】
ＷＬＡＮ測定報告は、ＡＰ３００からの無線信号（例えば、ビーコン信号）の受信強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）を用いてトリガされる。ＷＬＡＮ測定報告は、ＲＳＳＩ、チャネル利用（ｃｈａｎｎｅｌ  ｕｔｉｌｉｚａｔｉｏｎ）、局カウント（ｓｔａｔｉｏｎ  ｃｏｕｎｔ）、認証キャパシティ（ａｄｍｉｓｓｉｏｎ  ｃａｐａｃｉｔｙ）、バックホールレート（ｂａｃｋｈａｕｌ  ｒａｔｅ）及びＷＬＡＮ識別子を含んでいてもよい。
【００７１】
（無線端末）
ＵＥ１００（無線端末）の構成について説明する。図４は、ＵＥ１００を示すブロック図である。
【００７２】
図４に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。ＵＥ１００は、セルラ通信とＷＬＡＮ通信とで共通に用いられるレシーバ１１０及びトランスミッタ１２０を備えてもよい。ＵＥ１００は、セルラ通信用のレシーバ１１０及びトランスミッタ１２０と、ＷＬＡＮ通信用のレシーバ１１０及びトランスミッタ１２０とをそれぞれ備えてもよい。
【００７３】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換してコントローラ１３０に出力する。
【００７４】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換してアンテナから送信する。
【００７５】
コントローラ１３０は、ＵＥ１００における各種の制御を行う。コントローラ１３０は、レシーバ１１０及びトランシーバ１２０を制御できる。コントローラ１３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含む。ベースバンドプロセッサは、ベースバンド信号の変調・復調及び符号化・復号等を行う。ＣＰＵは、メモリに記憶されるプログラムを実行して各種の処理を行う。コントローラ１３０は、後述する各種の処理及び上述した各種の通信プロトコルを実行する。
【００７６】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明する。
【００７７】
（基地局）
ｅＮＢ２００（基地局）の構成について説明する。図５は、ｅＮＢ２００を示すブロック図である。
【００７８】
図５に示すように、ｅＮＢ２００は、レシーバ（受信部）２１０、トランスミッタ（送信部）２２０、コントローラ（制御部）２３０、及びネットワークインターフェイス２４０を備える。レシーバ２１０とトランスミッタ２２０とは、一体化されたトランシーバ（送受信部）であってもよい。
【００７９】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換してコントローラ２３０に出力する。
【００８０】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換してアンテナから送信する。
【００８１】
コントローラ２３０は、ｅＮＢ２００における各種の制御を行う。コントローラ２３０は、レシーバ２１０、トランスミッタ２２０及びネットワークインターフェイス２４０を制御できる。コントローラ２３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。コントローラ２３０は、後述する各種の処理及び上述した各種の通信プロトコルを実行する。
【００８２】
ネットワークインターフェイス２４０は、Ｘ２インターフェイスを介して隣接ｅＮＢ２００と接続される。ネットワークインターフェイス２４０は、Ｓ１インターフェイスを介してＭＭＥ４００及びＳＧＷ５００と接続される。ネットワークインターフェイス２４０は、Ｘ２インターフェイス上で行う通信及びＳ１インターフェイス上で行う通信等に使用される。
【００８３】
ネットワークインターフェイス２４０は、Ｘｗインターフェイスを介してＷＴ６００と接続される。ネットワークインターフェイス２４０は、Ｘｗインターフェイス上で行う通信等に使用される。
【００８４】
本明細書では、ｅＮＢ２００が備えるレシーバ２１０、トランスミッタ２２０、コントローラ２３０及びネットワークインターフェイス２４０の少なくともいずれかが実行する処理を、便宜上、ｅＮＢ２００が実行する処理（動作）として説明する。
【００８５】
（無線ＬＡＮアクセスポイント）
ＡＰ３００（無線ＬＡＮアクセスポイント）の構成について説明する。図６は、ＡＰ３００を示すブロック図である。
【００８６】
図６に示すように、ＡＰ３００は、レシーバ（受信部）３１０、トランスミッタ（送信部）３２０、コントローラ（制御部）３３０、及びネットワークインターフェイス３４０を備える。レシーバ３１０とトランスミッタ３２０とは、一体化されたトランシーバ（送受信部）であってもよい。
【００８７】
レシーバ３１０は、コントローラ３３０の制御下で各種の受信を行う。レシーバ３１０は、アンテナを含む。レシーバ３１０は、アンテナが受信する無線信号をベースバンド信号（受信信号）に変換してコントローラ３３０に出力する。
【００８８】
トランスミッタ３２０は、コントローラ３３０の制御下で各種の送信を行う。トランスミッタ３２０は、アンテナを含む。トランスミッタ３２０は、コントローラ３３０が出力するベースバンド信号（送信信号）を無線信号に変換してアンテナから送信する。
【００８９】
コントローラ３３０は、ＡＰ３００における各種の制御を行う。コントローラ３３０は、レシーバ３１０、トランスミッタ３２０及びネットワークインターフェイス３４０を制御できる。コントローラ３３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。コントローラ３３０は、後述する各種の処理及び上述した各種の通信プロトコルを実行する。
【００９０】
ネットワークインターフェイス３４０は、所定のインターフェイスを介してバックホールと接続される。ネットワークインターフェイス３４０は、ＷＴ６００と接続され、ＷＴ６００との通信等に使用される。
【００９１】
本明細書では、ＡＰ３００が備えるレシーバ３１０、トランスミッタ３２０、コントローラ３３０及びネットワークインターフェイス３４０の少なくともいずれかが実行する処理を、便宜上、ＡＰ３００が実行する処理（動作）として説明する。
【００９２】
（ＷＬＡＮ終端装置）
ＷＴ６００（ＷＬＡＮ終端装置）の構成について説明する。図７は、ＷＴ６００を示すブロック図である。
【００９３】
図７に示すように、ＷＴ６００は、コントローラ（制御部）６３０及びネットワークインターフェイス６４０を備える。
【００９４】
コントローラ６３０は、ＷＴ６００における各種の制御を行う。コントローラ６３０は、ネットワークインターフェイス６４０を制御できる。コントローラ６３０は、プロセッサ及びメモリを含む。メモリは、プロセッサにより実行されるプログラム、及びプロセッサによる処理に使用される情報を記憶する。プロセッサは、ベースバンドプロセッサと、ＣＰＵと、を含む。ベースバンドプロセッサは、ベースバンド信号の変調・復調及び符号化・復号等を行う。ＣＰＵは、メモリに記憶されるプログラムを実行して各種の処理を行う。コントローラ６３０は、後述する各種の処理及び上述した各種の通信プロトコルを実行する。
【００９５】
ネットワークインターフェイス６４０は、所定のインターフェイスを介してバックホールと接続される。ネットワークインターフェイス６４０は、ＡＰ３００と接続され、ＡＰ３００との通信等に使用される。
【００９６】
ネットワークインターフェイス６４０は、Ｘｗインターフェイスを介してｅＮＢ２００と接続される。ネットワークインターフェイス６４０は、Ｘｗインターフェイス上で行う通信等に使用される。
【００９７】
本明細書では、ＷＴ６００が備えるコントローラ６３０及びネットワークインターフェイス６４０の少なくともいずれかが実行する処理を、便宜上、ＷＴ６００が実行する処理（動作）として説明する。
【００９８】
（実施形態に係る動作）
実施形態に係る動作について、図８を用いて説明する。図８は、実施形態に係る動作を説明するためのシーケンス図である。
【００９９】
図８において、ＵＥ１００は、ｅＮＢ２００−１（Ｓｏｕｒｃｅ  ｅＮＢ２００−１）が管理するセル（Ｐｒｉｍａｒｙ  Ｃｅｌｌ）に在圏する。初期状態において、ＵＥ１００は、ＲＲＣ接続状態である。
【０１００】
ステップＳ１０１において、ｅＮＢ２００−１は、ＬＷＡ設定（ＬＷＡ  ｃｏｎｆｉｇｕｒａｔｉｏｎ）をＵＥ１００へ送信する。ＵＥ１００は、ＬＷＡが設定（コンフィグ）される。ｅＮＢ２００−１は、個別シグナリング（例えば、ＲＲＣ  Ｃｏｎｎｅｃｔｉｏｎ  Ｒｅｃｏｎｆｉｇｕｒａｔｉｏｎ  メッセージ）により、ＵＥ１００へＬＷＡ設定を送信してもよい。
【０１０１】
ＬＷＡ設定は、ＷＬＡＮモビリティセットを含む。従って、ｅＮＢ２００は、ＷＬＡＮモビリティセットをＵＥ１００へ設定（コンフィグ）する。ＵＥ１００は、ＷＬＡＮモビリティセットが設定（コンフィグ）される。ＷＬＡＮモビリティセットは、ＷＴ６００と関連付けられているＡＰ３００の識別子を含む。すなわち、ＷＴ６００は、ＡＰ３００の識別子により示されるＡＰ３００を経由して、ＵＥ１００のデータをＵＥ１００又はｅＮＢ２００へ転送可能である。
【０１０２】
ＵＥ１００は、ＬＷＡ動作が実行可能である。ＵＥ１００は、ｅＮＢ２００の無線リソースだけでなく、ＷＬＡＮ３０の無線リソースを用いてｅＮＢ２００と通信可能である。
【０１０３】
ステップＳ１０２において、ｅＮＢ２００は、ＷＬＡＮ測定設定（ＷＬＡＮ  Ｍｅａｓｕｒｅｍｅｎｔ  ｃｏｎｆｉｇｕｒａｔｉｏｎ）をＵＥ１００へ送信してもよい。これにより、ＵＥ１００は、ＷＬＡＮ測定報告を行うように設定（コンフィグ）される。
【０１０４】
ステップＳ１０３において、ＵＥ１００は、ＷＬＡＮ測定報告をｅＮＢ２００−１へ送信してもよい。ＵＥ１００は、ＡＰ３００からの無線信号に基づくＲＳＳＩをトリガとして、ＷＬＡＮ測定報告をｅＮＢ２００−１へ送信する。ｅＮＢ２００は、ＷＬＡＮ測定報告をＵＥ１００から受信する。
【０１０５】
ステップＳ１０４において、ＵＥ１００は、測定報告（Ｍｅａｓｕｒｅｍｅｎｔ  Ｒｅｐｏｒｔ）をｅＮＢ２００−１へ送信する。ｅＮＢ２００は、測定報告をＵＥ１００から受信する。測定報告は、ｅＮＢ２００（セル）からの受信信号の受信レベル（受信強度：ＲＳＲＰ（Ｒｅｆｅｒｅｎｃｅ  Ｓｉｇｎａｌ  Ｒｅｃｅｉｖｅ  Ｐｏｗｅｒ）及び／又は受信品質：ＲＳＲＱ（Ｒｅｆｅｒｅｎｃｅ  Ｓｉｇｎａｌ  Ｒｅｃｅｉｖｅｄ  Ｑｕａｌｉｔｙ）など）の測定値を含む。
【０１０６】
ステップＳ１０５において、ｅＮＢ２００−１は、測定報告に基づいて、ｅＮＢ２００−２へのハンドオーバを決定する。
【０１０７】
ステップＳ１０６において、ｅＮＢ２００−１は、ハンドオーバの決定に応じて、ハンドオーバ要求メッセージをｅＮＢ２００−２へ送る。
【０１０８】
ハンドオーバ要求メッセージは、ハンドオーバのためのリソースの準備を要求するためのメッセージである。ハンドオーバ要求メッセージは、ターゲット側でハンドオーバを準備するために必要な情報を渡すためのメッセージである。
【０１０９】
ハンドオーバ要求メッセージは、ＷＴ６００の識別子（例えば、ＷＴ  ＩＤ）を含んでいてもよい。ＷＴ６００の識別子は、ＵＥ１００へ設定したＷＬＡＮモビリティセットに含まれるＡＰ３００の識別子が関連付けられているＷＴ６００を示す。すなわち、ＷＴ６００とＷＬＡＮモビリティセットに含まれるＡＰ３００とが関連付けられている。ＷＴ６００は、当該ＡＰ３００を管理している。
【０１１０】
ハンドオーバ要求メッセージは、ＵＥ１００の識別子を含んでいてもよい。ＵＥ１００の識別子は、例えば、ＵＥ  ＩＤ及びＷＴ  ＵＥ  ＸｗＡＰ  ＩＤの少なくとも一方である。ＵＥ  ＩＤは、ＵＥのＷＬＡＮ  ＭＡＣアドレスを示す。ＷＴ  ＵＥ  ＸｗＡＰ  ＩＤは、ＷＴ６００により割り当てられたＵＥ１００の識別子である。
【０１１１】
ｅＮＢ２００−２は、例えば、ＷＴ６００を変更（チェンジ）する場合に、ＵＥのＷＬＡＮ  ＭＡＣアドレスをＵＥ１００から取得する動作（ＲＲＣメッセージの送受信）を省略できる。
【０１１２】
ハンドオーバ要求メッセージは、ＵＥ１００へ設定したＷＬＡＮモビリティセットを含んでいてもよい。
【０１１３】
ハンドオーバ要求メッセージは、ＵＥ１００からのＷＬＡＮ測定報告の情報を含んでいてもよい。ｅＮＢ２００−１は、ＵＥ１００から受信した最新のＷＬＡＮ測定報告の情報をハンドオーバ要求メッセージへ含めてもよい。ＷＬＡＮ測定報告の情報は、ＵＥ１００から受信したＷＬＡＮ測定報告の全てであってもよい。ＷＬＡＮ測定報告の情報は、ＵＥ１００から受信したＷＬＡＮ測定報告の一部であってもよい。
【０１１４】
ｅＮＢ２００−２は、ハンドオーバ要求メッセージを受け取る。
【０１１５】
ハンドオーバ要求メッセージがＷＴ６００の識別子を含む場合、ｅＮＢ２００−２は、ハンドオーバ対象であるＵＥ１００にＬＷＡが設定されていると判定できる。ｅＮＢ２００−２は、ＷＴ６００の識別子に基づいて、ＵＥ１００に設定されたＷＬＡＮモビリティセットに含まれるＡＰ３００の識別子が関連付けられているＷＴ６００を把握することができる。すなわち、ｅＮＢ２００−２は、後述するＷＴ追加要求メッセージの送信先を特定できる。従って、ｅＮＢ２００−２は、他のＷＴ６００へＷＴ追加要求メッセージを送信せずに済む。
【０１１６】
ステップＳ１０７において、ｅＮＢ２００−２は、ＷＴ追加要求メッセージ（ＷＴ  Ａｄｄｉｔｉｏｎ  Ｒｅｑｕｅｓｔ）をＷＴ６００へ送る。ｅＮＢ２００−２は、ハンドオーバ要求メッセージに含まれるＷＴ６００の識別子に基づいて、ＷＴ追加要求メッセージをＷＴ６００へ送ってもよい。ｅＮＢ２００−２は、ハンドオーバ要求メッセージの受信に応じて、ＷＴ追加要求メッセージをＷＴ６００へ送ってもよい。
【０１１７】
ＷＴ追加要求メッセージは、特定ＵＥ（ＵＥ１００）のためにＬＷＡのためにリソースの準備を要求するメッセージである。
【０１１８】
ＷＴ追加要求メッセージは、ハンドオーバ要求メッセージに含まれるＵＥ１００の識別子（ＵＥ  ＩＤ及びＷＴ  ＵＥ  ＸｗＡＰ  ＩＤの少なくとも一方）を含んでいてもよい。この識別子により、ＷＴ６００は、ＵＥ１００を特定することができる。従って、ＷＴ６００は、ＷＬＡＮモビリティセットが設定されている既知のＵＥ１００か否かを判定できる。
【０１１９】
ＷＴ追加要求メッセージは、ＷＬＡＮモビリティセットを含む。ここで、ＷＬＡＮモビリティセットは、ハンドオーバ要求メッセージに含まれるＷＬＡＮモビリティセットであってもよい。これにより、既にＵＥ１００に設定されているＷＬＡＮモビリティセットを有効活用できる。
【０１２０】
ハンドオーバ要求メッセージが、ＵＥ１００からのＷＬＡＮ測定報告の情報を含む場合、ｅＮＢ２００−２は、当該情報に基づくＷＬＡＮモビリティセットをＷＴ追加要求メッセージに含めてもよい。ｅＮＢ２００−２は、ＷＬＡＮ測定報告の情報に基づいて、ＷＬＡＮモビリティセットを作成（更新）することにより、適切なＷＬＡＮモビリティセットをＵＥ１００に設定可能である。
【０１２１】
ｅＮＢ２００−２は、ＷＴ追加要求メッセージに含めるＷＬＡＮモビリティセットとして、ｅＮＢ２００−２がＵＥ１００へ提供する予定のＷＬＡＮモビリティセット候補であってもよい。例えば、ｅＮＢ２００−２は、ＷＬＡＮ測定報告の情報に基づいて作成したＷＬＡＮモビリティセット候補を、ＷＬＡＮモビリティセットとしてＷＴ追加要求メッセージに含めてもよい。
【０１２２】
ＷＴ６００は、ＷＴ追加要求メッセージをｅＮＢ２００から受け取る。ＷＴ６００は、ＷＬＡＮモビリティセットに基づいて、ＷＴ追加要求を承認するか否かを判定してもよい。
【０１２３】
ステップＳ１０８において、ＷＴ６００は、ＷＴ追加要求メッセージに対する応答をｅＮＢ２００へ送る。
【０１２４】
ＷＴ６００は、応答として、ＷＴ追加要求承認メッセージ（ＷＴ  Ａｄｄｉｔｉｏｎ  Ｒｅｑｕｅｓｔ  ＡＣＫ．（ＡＣＫＮＯＷＬＥＤＧＥ））を送ってもよい。
【０１２５】
ＷＴ追加要求承認メッセージは、ＷＴ追加準備についてｅＮＢ２００が確認（ｃｏｎｆｉｒｍ）するためのメッセージである。
【０１２６】
例えば、ＷＴ６００は、ＷＴ追加要求メッセージに含まれるＷＬＡＮモビリティセットがＵＥ１００に設定されているＷＬＡＮモビリティセットと一致している場合に、ＷＴ追加要求承認メッセージを送ってもよい。
【０１２７】
ＷＴ６００は、ＷＴ追加要求メッセージに含まれるＷＬＡＮモビリティセットがＷＴ６００と関連付けられているＡＰ３００（の識別子）を示す場合、ＷＴ追加要求承認メッセージを送ってもよい。
【０１２８】
ＷＴ追加要求承認メッセージは、ＷＴ６００がＵＥ１００のコンテキスト情報（例えば、ＵＥ１００の識別子、及びＷＬＡＮモビリティセットなど）を保持することを示す情報を含んでいてもよい。
【０１２９】
ＷＴ６００は、ｅＮＢ２００−２からＷＬＡＮモビリティセット（候補）を受信した場合、ＷＬＡＮモビリティセット（候補）を更新してもよい。ＷＴ６００は、更新されたＷＬＡＮモビリティセットをＷＴ追加要求承認メッセージに含めてもよい。例えば、ＷＴ６００は、ＵＥ１００に設定されたＷＬＡＮモビリティセットのＡＰ３００の識別子のうち、当該ＷＬＡＮモビリティセット（候補）に含まれないＡＰ３００の識別子をＷＬＡＮモビリティセット（候補）に追加してもよい。ＷＴ６００は、追加されたＷＬＡＮモビリティセットを更新されたＷＬＡＮモビリティセットとしてＷＴ追加要求承認メッセージに含めてもよい。ＷＴ６００は、ＵＥ１００に設定されたＷＬＡＮモビリティセット自体を更新されたＷＬＡＮモビリティセットとしてＷＴ追加要求承認メッセージに含めてもよい。
【０１３０】
一方、ＷＴ６００は、応答として、ＷＴ追加要求拒否メッセージ（ＷＴ  Ａｄｄｉｔｉｏｎ  Ｒｅｑｕｅｓｔ  ＮＡＣＫ．（ＮＡＣＫＮＯＷＬＥＤＧＥ））を送ってもよい。
【０１３１】
ＷＴ追加要求拒否メッセージは、ＷＴ追加準備が失敗したことをｅＮＢ２００へ知らせるためのメッセージである。
【０１３２】
ＷＴ６００は、ＷＴ追加要求メッセージに含まれるＷＬＡＮモビリティセットに基づいてＷＴ追加要求拒否メッセージを送ってもよい。例えば、ＷＴ６００は、ＷＴ追加要求メッセージに含まれるＷＬＡＮモビリティセットが自身（ＷＴ６００）と関連付けられていないＡＰ３００の識別子を含む場合、ＷＴ追加要求拒否メッセージを送ってもよい。ＷＴ６００は、ＷＴ追加要求メッセージに含まれるＷＬＡＮモビリティセットがＵＥ１００に設定されたＷＬＡＮモビリティセットに含まれないＡＰ３００の識別子を含む場合、ＷＴ追加要求拒否メッセージを送ってもよい。
【０１３３】
ＷＴ追加要求拒否メッセージは、当該メッセージがＷＴ追加要求メッセージに含まれるＷＬＡＮモビリティセットに基づくことを示す理由情報を含んでもよい。例えば、理由情報は、ＷＬＡＮモビリティセット（候補）がＷＴ６００と関連付けられていないＡＰ３００の識別子を含むことを示してもよい。理由情報は、ＷＬＡＮモビリティセット（候補）がユーザ端末に設定されたＷＬＡＮモビリティセットと一致しないことを示してもよい。理由情報は、ＷＬＡＮモビリティセット（候補）がユーザ端末に設定されたＷＬＡＮモビリティセットに含まれないＡＰ３００の識別子を含むことを示してもよい。
【０１３４】
ＷＴ追加要求拒否メッセージは、ＵＥ１００に設定されたＷＬＡＮモビリティセット（ＡＰ３００の識別子）を含んでもよい。ｅＮＢ２００−２は、ＵＥ１００に設定されているＷＬＡＮモビリティセット（ＡＰ３００の識別子）を把握することができる。
【０１３５】
ｅＮＢ２００−２は、ＷＴ追加要求拒否メッセージを受信した場合、ＷＴ追加要求拒否メッセージに含まれる理由情報及び／又はＷＬＡＮモビリティセットに基づいて、ＷＬＡＮモビリティセットを更新できる。ｅＮＢ２００−２は、更新されたＷＬＡＮモビリティセットを含む新たなＷＴ追加要求メッセージをＷＴ６００へ送ってもよい。
【０１３６】
ステップＳ１０９において、ｅＮＢ２００−２は、ハンドオーバ要求メッセージに対する応答をｅＮＢ２００−１へ送る。
【０１３７】
ｅＮＢ２００−２は、応答として、ハンドオーバ要求承認メッセージ（ＨＯ  Ｒｅｑｕｅｓｔ  ＡＣＫ．（ＡＣＫＮＯＷＬＥＤＧＥ））を送ってもよい。ｅＮＢ２００−２は、ＷＴ追加要求承認メッセージの受信に応じて、ハンドオーバ要求承認メッセージを送ってもよい。
【０１３８】
ハンドオーバ要求承認メッセージは、ターゲット（ｅＮＢ２００−２）での準備されたリソースについてｅＮＢ２００−１へ知らせるためのメッセージである。
【０１３９】
ハンドオーバ要求承認メッセージは、ＷＴ６００がＵＥ１００のコンテキスト情報（例えば、ＷＬＡＮモビリティセット）を保持することを示す保持情報を含んでいてもよい。ｅＮＢ２００−２は、ＷＴ追加要求承認メッセージにより、ＷＴ６００から受信した当該情報をハンドオーバ要求承認メッセージに含めてもよい。ｅＮＢ２００−２は、新たにＷＴ６００がＵＥ１００のコンテキスト情報を保持することを示す情報を生成し、生成した当該情報をハンドオーバ要求承認メッセージに含めてもよい。これにより、ｅＮＢ２００−１は、ＷＴ６００がＵＥ１００のコンテキスト情報を保持することが把握できる。通常、ｅＮＢ２００−１は、ＵＥ１００がハンドオーバを実行する場合、ＷＴ解放要求メッセージをＷＴ６００へ送る。ＷＴ解放要求メッセージは、リソースの解放を要求するメッセージである。これにより、ＷＴ６００は、ＵＥ１００のコンテキスト情報も解放する。一方で、ＷＴ６００がＵＥ１００のコンテキスト情報を保持する場合、ｅＮＢ２００−１は、ＵＥ１００のコンテキスト情報を解放させないための指示（情報）を含むＷＴ解放要求メッセージをＷＴ６００へ送ってもよい。当該指示は、保持情報であってもよい。ＷＴ６００は、指示を受信した場合、ＵＥ１００のコンテキスト情報を保持した状態で、ｅＮＢ２００とＷＴ６００との間の接続（ＵＥ  Ａｓｓｏｃｉａｔｅｄ  ｓｉｇｎａｌｉｎｇ  ｃｏｎｎｅｃｔｉｏｎ（ＸｗＡＰ））を解放することができる。
【０１４０】
保持情報は、既存のＵＥコンテキスト保持指示子（ＵＥ  Ｃｏｎｔｅｘｔ  Ｋｅｐｔ  Ｉｎｄｉｃａｔｏｒ）とは異なってもよい。ＵＥコンテキスト保持指示子は、ＳｅＮＢ（Ｓｅｃｏｎｄａｒｙ  ｅＮＢ）の変更なくＭｅＮＢ（Ｍａｓｔｅｒ  ｅＮＢ）間（ｉｎｔｅｒ−ＭｅＮＢ）でハンドオーバが実行されるケースにおいてＵＥコンテキスト情報がＳｅＮＢで保持されていることを示す。これにより、ｅＮＢ２００−１は、保持情報を既存のＵＥコンテキスト保持指示子と混同せずに、ＷＴ６００がＵＥ１００のコンテキスト情報を保持することが把握できる。
【０１４１】
ｅＮＢ２００−２は、二重接続（ＤＣ：Ｄｕａｌ  ｃｏｎｎｅｃｔｉｖｉｔｙ）が実行されているケースにおいて、ＳｅＮＢの変更なくＭｅＮＢ間でハンドオーバが実行される場合、保持情報とＵＥコンテキスト保持指示子とをハンドオーバ要求承認メッセージに含めてもよい。
【０１４２】
ＤＣは、マスタセルグループとセカンダリセルグループとが設定されている、ＲＲＣ接続状態のＵＥ１００の動作モードである。マスタセルグループは、ＤＣにおいて、ＭｅＮＢに関連付けられたサービングセルのグループであり、ＰＣｅｌｌとオプション的に１以上のＳＣｅｌｌとにより構成される。セカンダリセルグループは、ＳｅＮＢに関連付けられたサービングセルのグループであり、ＰＳＣｅｌｌとオプション的に１以上のＳＣｅｌｌとにより構成される。ＳｅＮＢは、ＤＣにおいて、ＵＥ１００のために追加的な無線リソースを提供するがＭｅＮＢではないｅＮＢ２００である。
【０１４３】
ｅＮＢ２００−２は、ＤＣが実行されていない場合には、既存のＵＥコンテキスト保持指示子（ＵＥ  Ｃｏｎｔｅｘｔ  Ｋｅｐｔ  Ｉｎｄｉｃａｔｏｒ）を保持情報として用いてもよい。ｅＮＢ２００−１は、ＤＣが実行されていない場合には、既存のＵＥコンテキスト保持指示子（ＵＥ  Ｃｏｎｔｅｘｔ  Ｋｅｐｔ  Ｉｎｄｉｃａｔｏｒ）を保持情報として認識してもよい。
【０１４４】
一方、ｅＮＢ２００−２は、応答として、ハンドオーバ要求拒否メッセージ（ＨＯ  Ｒｅｑｕｅｓｔ  ＮＡＣＫ．（ＮＡＣＫＮＯＷＬＥＤＧＥ））を送ってもよい。ｅＮＢ２００−２は、ＷＴ追加要求拒否メッセージの受信に応じて、ハンドオーバ要求拒否メッセージを送ってもよい。
【０１４５】
ハンドオーバ要求拒否メッセージは、ハンドオーバ準備が失敗したことをｅＮＢ２００−１へ知らせるためのメッセージである。
【０１４６】
以下において、ｅＮＢ２００−２は、応答として、ハンドオーバ要求承認メッセージを送ったと想定して説明を進める。
【０１４７】
ステップＳ１１０において、ｅＮＢ２００−１は、ハンドオーバを実行するためのＲＲＣメッセージ（ＲＲＣ  Ｃｏｎｎ．Ｒｅｃｏｎｆ．）をＵＥ１００へ送信する。ＵＥ１００は、ハンドオーバを実行するための動作を開始する。
【０１４８】
ステップＳ１１１において、ハンドオーバ実行フェーズ（ＨＯ  Ｅｘｃｅｕｔｉｏｎ）及びハンドオーバ完了フェーズ（ＨＯ  Ｃｏｍｐｌｅｔｉｏｎ）による動作が実行される。
【０１４９】
その後、ＵＥ１００は、ｅＮＢ２００−２との通信において、ＬＷＡ動作を実行する。ｅＮＢ２００−２は、ＵＥ１００にＬＷＡ（ＷＬＡＮモビリティセット）の設定を実行してもよい。ｅＮＢ２００−２は、既にＵＥ１００に設定されているＬＷＡ設定との差分をＵＥ１００へ伝えてもよい。
【０１５０】
以上により、ＵＥ１００に設定されたＷＬＡＮモビリティセットに関連するＷＴ６００を維持した状態で、ハンドオーバを実行することができる。その結果、ハンドオーバが実行された場合であっても、ＬＷＡ動作がスムーズに実行され得る。ハンドオーバが終了した後に、新たにＬＷＡ設定をするためのシグナリング（又はオーバヘッド）を低減し得る。
【０１５１】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１５２】
上述した実施形態では、ｅＮＢ２００−２がＷＴ追加要求メッセージを送るケースを説明したが、これに限られない。ｅＮＢ２００は、ＷＴ追加要求メッセージの代わりに、ＷＴ変更要求メッセージ（ＷＴ  Ｍｏｄｉｆｉｃａｔｉｏｎ  Ｒｅｑｕｅｓｔ）を送ってもよい。従って、上述の「ＷＴ追加要求」は、「ＷＴ変更要求」に適宜置き換えることが可能である。
【０１５３】
ｅＮＢ２００−２からＷＴ６００へ送られるＷＴ変更要求メッセージは、特定ＵＥのためにＷＴリソースを変更するための準備を要求するメッセージである。ＷＴ６００からｅＮＢ２００−２へ送られるＷＴ変更要求承認メッセージは、特定ＵＥのためにＷＴリソースの変更するためのｅＮＢ２００−２の要求を確認（承認：ｃｏｎｆｉｒｍ）するためのメッセージである。ＷＴ６００からｅＮＢ２００−２へ送られるＷＴ変更要求拒否メッセージは、ｅＮＢ２００−２が開始したＷＴ変更が失敗したことをｅＮＢ２００−２へ知らせるためのメッセージである。
【０１５４】
上述した実施形態において、ＵＥ１００、ｅＮＢ２００及びＷＴ６００の動作を一連のシーケンスで説明したが、一部の動作のみが実行され、全ての動作が実行されなくてもよい。
【０１５５】
上述した実施形態では特に触れていないが、上述した各ノード（ＵＥ１００、ｅＮＢ２００、ＡＰ３００、及びＷＴ６００など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１５６】
或いは、ＵＥ１００、ｅＮＢ２００、ＡＰ３００及びＷＴ６００のいずれかが行う各処理を実行するためのプログラムを記憶するメモリ及びメモリに記憶されたプログラムを実行するプロセッサ）によって構成されるチップが提供されてもよい。
【０１５７】
上述した実施形態では、移動通信システムの一例としてＬＴＥシステムを説明したが、本開示内容は、ＬＴＥシステムに限定されるものではない。本開示内容は、ＬＴＥシステム以外のシステムに適用されてもよい。
【０１５８】
［付記］
（１）導入
この付記では、ＷＴ変更を伴わないｅＮＢ間ハンドオーバ（ｉｎｔｅｒ  ｅＮＢ  ｈａｎｄｏｖｅｒ）の初期考察を提供する。
【０１５９】
（２）検討
ＵＥ関連のＸｗＡＰ手順（ＵＥ−ａｓｓｏｃｉａｔｅｄ  ＸｗＡＰ  ｐｒｏｃｅｄｕｒｅｓ）は、Ｒｅｌ−１２  ＤＣに関するＸ２手順に基づいてＲｅｌ−１３で明確化された。従って、それを、拡張ＤＣ（ＥｘｔＤＣ）のためのＲｅｌ−１３  Ｘ２手順（すなわち、ＳｅＮＢ変更を伴わないＭｅＮＢ間ハンドオーバ）を考慮して、ＷＴ変更を伴わないｅＮＢ間ハンドオーバの拡張について検討するベースラインとみなすことができる。ＷＴ変更を伴わないｅＮＢ間ハンドオーバのベースラインとして、シグナリングフローを図９に示すことができる。図９は、ＷＴ変更を伴わないｅＮＢ間ハンドオーバのためのベースラインシグナリングフローを示す。
【０１６０】
ステップＳ１及びＳ２：ハンドオーバ要求及びＷＴ追加要求（ＨＡＮＤＯＶＥＲ  ＲＥＱＵＥＳＴ  ＆  ＷＴ  ＡＤＤＩＴＩＯＮ  ＲＥＱＵＥＳＴ）
拡張（ＥｘｔＤＣ）に関して、ハンドオーバ要求は、ＳｅＮＢにおけるＵＥコンテキストリファレンスとして、Ｇｌｏｂａｌ  ＳｅＮＢ  ＩＤ及びＳｅＮＢ  ＵＥ  Ｘ２ＡＰ  ＩＤ  ＩＥを含み、これらの情報は、対応するＳＥＮＢ追加要求で用いられる。ｅＬＷＡに対応して、ＷＴ  ＩＤ及びＷＴ  ＵＥ  ＸｗＡＰ  ＩＤ  ＩＥがハンドオーバ要求に必要であり、ＷＴ  ＵＥ  ＸｗＡＰ  ＩＤ  ＩＥがＷＴ追加要求に含まれる必要がある。
【０１６１】
拡張ＤＣ（ＥｘｔＤＣ）との共通性に加えて、いくつかのＬＷＡ固有のＩＥを検討すべきである。
【０１６２】
・ＵＥ識別子（ＵＥ  Ｉｄｅｎｔｉｔｙ）
ＷＴ追加要求は、ＵＥ識別子ＩＥ（すなわち、ＵＥのＷＬＡＮ  ＭＡＣアドレス）を必須ＩＥとして有する。しかしながら、ターゲットｅＮＢが、ＷＴ追加要求上でその識別子を知る方法がない可能性がある。従って、ハンドオーバ要求は、ＷＴ追加要求においてＵＥ識別子ＩＥを必須として保持することが望ましい場合には、ＵＥ識別子ＩＥを通知する必要がある。
【０１６３】
・モビリティセット
ソースｅＮＢ及びターゲットｅＮＢはそれぞれ、モビリティセットを有し、ＷＴ変更を伴わないｅＮＢ間ハンドオーバ中に異なるモビリティセットがＷＴに提供される可能性があると仮定する。このケースでは、ターゲットｅＮＢによって提供される新たなモビリティセットが、ＵＥが現在関連しているＷＬＡＮ（例えば、ＢＳＳＩＤ）を含まない場合、問題である可能性がある。従って、ｅＮＢ又はＷＴのいずれかが、新しいモビリティセットがこのＬＷＡに適用可能かどうかをチェックする。ターゲットｅＮＢがチェックを実行する場合、実装に応じて、ハンドオーバ要求内で、例えば、（ＲＲＣコンテナから理解されるべき）ＷＬＡＮ測定結果、ＵＥに現在関連付けられているＷＬＡＮ識別子、及び／又は（古い）モビリティセットを、ソースｅＮＢから通知される必要があってもよい。一方、ＷＴがチェックを実行する場合、ＵＥに関連するＷＬＡＮ識別子を知っているので、そのような情報転送は必要ではないかもしれないが、ターゲットｅＮＢの観点からは盲目的に行われている、すなわち、ターゲットｅＮＢはＷＬＡＮがそのモビリティセットに含まれていることを知らない。そのような曖昧な動作を避けるためには、ｅＮＢに責任を有することが望ましい可能性がある。
【０１６４】
ステップＳ３：ＷＴ追加要求承認（ＷＴ  ＡＤＤＩＴＩＯＮ  ＲＥＱＵＥＳＴ  ＡＣＫＮＯＷＬＥＤＧＥ）
ＷＴがＷＬＡＮリソース要求を認めることができる場合、ＷＴは、ＷＴ追加要求承認で応答する。ＷＴがＷＴ  ＵＥ  ＸｗＡＰ  ＩＤ  ＩＥを受信し、ＷＴ  ＵＥ  ＸｗＡＰ  ＩＤ  ＩＥがそのようなＩＤを有する既存のＵＥコンテキストと一致しないアブノーマルケースでは、ＷＴは、拡張ＤＣのケースと同様に、ＷＴ追加要求拒否（ＷＴ  ＡＤＤＩＴＩＯＮ  ＲＥＱＵＥＳＴ  ＲＥＪＥＣＴ）を用いて、当該手順を拒否できる。
【０１６５】
ステップＳ４：ハンドオーバ要求承認（ＨＡＮＤＯＶＥＲ  ＲＥＱＵＥＳＴ  ＡＣＫＮＯＷＬＥＤＧＥ）
拡張ＤＣのための既存の手順によれば、ターゲットｅＮＢは、ＵＥコンテキストがＷＴに保持されているかどうかをソースＭｅＮＢに示してもよい。この指示（インディケーション）に関して、ソースｅＮＢがｅＬＷＡと拡張ＤＣとを区別する必要がない限り、すなわち、ＷＴ変更を伴わないｅＮＢ間ハンドオーバとＳｅＮＢ変更を伴わないＭｅＮＢ間ハンドオーバの同時実行が許可されない限り、既存のＵＥ  Ｃｏｎｔｅｘｔ  Ｋｅｐｔ  Ｉｎｄｉｃａｔｏｒ  ＩＥを再利用できてもよい。今回のリリースでは、ＬＷＡとＤＣの同時展開が除外されているため、意味がある。
【０１６６】
ステップＳ５：ＷＴ解放要求（ＷＴ  ＲＥＬＥＡＳＥ  ＲＥＱＵＥＳＴ）
ハンドオーバ要求承認の仮定と同様に、ＵＥ  Ｃｏｎｔｅｘｔ  Ｋｅｐｔ  Ｉｎｄｉｃａｔｏｒ  ＩＥを再使用できてもよい。当該ＩＥは、ソースｅＮＢに向けたＵＥ関連シグナリング接続に関するリソースのみが解放されるべきであることをＷＴが理解することを容易にする。
【０１６７】
ステップＳ６：ＷＴ関連確認（ＷＴ  ＡＳＳＯＣＩＡＴＩＯＮ  ＣＯＮＦＩＲＭＡＴＩＯＮ）
ＷＴは、関連付け成功後、このメッセージをターゲットｅＮＢに送信してもよい。
【０１６８】
・ＵＥの再関連付けが必要かどうかは、ＲＡＮ２次第である。
【０１６９】
・維持されるであろうＷＴは、トリガとしてＷＴとＵＥとの間の再関連付けの完了により、ＵＬユーザデータ送信の方向がソースｅＮＢからターゲットｅＮＢへ切り替わるときを知ることができる。
【０１７０】
ステップＳ７：パス切り替え手順（Ｐａｔｈ  Ｓｗｉｔｃｈ  ｐｒｏｃｅｄｕｒｅ）
ＬＷＡ動作は、ＭＭＥに対してトランスペアレントであるため、ターゲットｅＮＢは、通常のハンドオーバのようにパス切り替え手順を実行する。
【０１７１】
ステップＳ８：ターゲットｅＮＢからソースｅＮＢへのＵＥコンテキスト解放（ＵＥ  ＣＯＮＴＥＸＴ  ＲＥＬＥＡＳＥ）
ターゲットｅＮＢは、現在のように、当該メッセージをソースｅＮＢへ送る。
【０１７２】
ステップＳ９：ソースｅＮＢからＷＴへのＵＥコンテキスト解放
拡張ＤＣの既存の手順によれば、ソースＭｅＮＢに向かうＵＥコンテキストに関連付けられたリソースに関するＣプレーンをＳｅＮＢに解放させるために、ＵＥコンテキスト解放は、ソースＭｅＮＢによって開始される。ｅＬＷＡのケースでは、ＸｗＡＰにおいて、ＵＥコンテキスト解放がこれまで明確化されていないため、同じではない。ＷＴ解放要求がこの目的のために使用できるかどうか、すなわち、ステップ５の後に、ＷＴのみがＣプレーン関連リソースを解放できるかどうか、を検討すべきである。必要に応じて、ＸｗＡＰにおいて、新しいＵＥコンテキスト解放手順が導入されてもよい。
【０１７３】
表１は、ＷＴ変更を伴わないｅＮＢ間ハンドオーバをサポートするための変更の概要を示す。サポートされる必要がある場合には、ＷＴ追加に伴うｅＮＢ間ハンドオーバのシナリオにも適用可能であってもよい。
【０１７４】
【表１】
2017170202.tif 000003
【０１７５】
提案１：上記検討を考慮すべきである。
【０１７６】
米国仮出願第６２／３１６７５２号（２０１６年４月１日出願）の全内容が、参照により、本願明細書に組み込まれている。
【図１】
2017170202.tif 000004
【図２】
2017170202.tif 000005
【図３】
2017170202.tif 000006
【図４】
2017170202.tif 000007
【図５】
2017170202.tif 000008
【図６】
2017170202.tif 000009
【図７】
2017170202.tif 000010
【図８】
2017170202.tif 000011
【図９】
2017170202.tif 000012
【国際調査報告】
2017170202.tif 000013
2017170202.tif 000014
2017170202.tif 000015
2017170202.tif 000016
2017170202.tif 000017
2017170202.tif 000018
2017170202.tif 000019
2017170202.tif 000020